(57)【要約】【課題】  携帯用情報記録及び再生装置に装着される小型情報貯蔵媒体に適用されて新たなレイアウトを形成させうる固有情報を示すＢＣＡマークの位置を変化させた新たなレイアウトを有する情報貯蔵媒体を提供する。【解決手段】  固有情報を示すＢＣＡマークが、情報貯蔵媒体のエッジ部に近接して形成されるか、最外周に形成される。【選択図】      図３  
2004348949.tif 000002
【特許請求の範囲】
【請求項１】
固有情報を示すＢＣＡマークがエッジ部に近接して形成されたことを特徴とする情報貯蔵媒体。
【請求項２】
前記ＢＣＡマークは最外周に形成されることを特徴とする請求項１に記載の情報貯蔵媒体。
【請求項３】
前記ＢＣＡマークはラジアル方向にマーキングされることを特徴とする請求項１に記載の情報貯蔵媒体。
【請求項４】
前記ＢＣＡマークは円形または四角形に配されることを特徴とする請求項１に記載の情報貯蔵媒体。
【請求項５】
前記ＢＣＡマークは、レーザービームで情報貯蔵媒体の反射フィルムの所定領域が焼成されて除去されることによって形成されるか、あるいは相変化物質の相変移を通じた結晶質マークまたは非晶質のマークとして形成されることを特徴とする請求項１に記載の情報貯蔵媒体。
【請求項６】
外周から内周方向に順次に、前記ＢＣＡマークを有するＢＣＡ領域、リードイン領域、データ領域、及びリードアウト領域が配されることを特徴とする請求項１に記載の情報貯蔵媒体。
【請求項７】
前記ＢＣＡマークはランドまたはグルーブに形成されることを特徴とする請求項１に記載の情報貯蔵媒体。
【請求項８】
前記情報貯蔵媒体は単層、多層、単面または両面タイプであり、
前記ＢＣＡマークは少なくとも一層または一面に形成されたことを特徴とする請求項１に記載の情報貯蔵媒体。
【請求項９】
前記固有情報は前記情報貯蔵媒体に対する一連番号及び製造年月日を含むことを特徴とする請求項１に記載の情報貯蔵媒体。
【発明の詳細な説明】
【技術分野】
【０００１】
本発明は情報貯蔵媒体に係り、特に固有情報を示すＢＣＡ（Ｂｕｒｓｔ  Ｃｕｔｔｉｎｇ  Ａｒｅａ）マークの位置を変化させた新たなレイアウトを有する情報貯蔵媒体に関する。
【背景技術】
【０００２】
図１を参照すれば、従来の光ディスク１２に形成されるＢＣＡマーク１０は光ディスク１２の最内周にラジアル方向のバー形態を有して環状に配されるのが分かる。
【０００３】
ここで、ＢＣＡマーク１０は光ディスク１２に関する固有情報である、一連番号（ｓｅｒｉａｌ  ｎｕｍｂｅｒ）、製造年月日などを含む。ＢＣＡマーク１０が形成された領域を特別にＢＣＡフィールドまたはＢＣＡ領域と称する。光ピックアップが駆動されて光ディスク１２の表面にフォーカシングする段階が実行された後、次の段階で直ちに情報が読取れるように、ＢＣＡマーク１０はトラックのないミラー領域に記録されることが一般的である。一般にＢＣＡマーク１０のラジアル方向の長さは約１ｍｍであるが、ＤＶＤ−Ｒ／ＲＷまたはＣＤ−Ｒ／ＲＷではＢＣＡとリードイン領域間にＰＣＡ（Ｐｏｗｅｒ  ｃａｌｉｂｒａｔｉｏｎ  ａｒｅａ）とＰＭＡ（Ｐｒｏｇｒａｍ  Ｍｅｍｏｒｙ  ａｒｅａ）が存在するので、ＢＣＡマーク１０はラジアル方向の長さが約０．８ｍｍとなる。
【０００４】
図２を参照すれば、従来の光ディスク１２は内周から外周側に順次に、クランピング領域、ＢＣＡ、リードイン領域、データ領域及び、リードアウト領域に区分される。すなわち、ＢＣＡは一般にクランピング領域とリードイン領域間に位置する。
【０００５】
ＢＣＡマーク１０は、一般に１０〜１５μｍの幅とラジアル方向に約１ｍｍの長さに形成されるので、肉眼でも区別しやすい。例えば、半径２１．５ｍｍの光ディスク１２に記録されるデータの量は１回転当り約４０００〜５０００チャンネルビット程度であるために、円周（２πＸ２１．５）に対して前記チャンネルビット数を割れば、１チャンネルビット当り２５〜３０μｍ程度のチャンネル間周期を有する。現在のＢＣＡ記録装置で記録する場合、ＢＣＡマーク１０の幅は約１２μｍに形成されうる。
【０００６】
しかし、最近デジタルカメラ、カムコーダ、携帯電話、ＭＰ３等に使われる小型光ディスクは現在一般的に用いられている直径１２０ｍｍの光ディスクよりはるかに小さな半径、例えば５０ｍｍの直径を有するように製造されている。このような直径を有する小型光ディスクで最内周が半径６ｍｍであり、少なくとも１ｍｍ以上の長さを有するＢＣＡマークを図１に示されたように記録するならば、半径７ｍｍ程度のＢＣＡ領域での１チャンネルビットはチャンネル間周期が約９〜９．５μｍに配される。これは現在のＢＣＡ記録装置で記録できるＢＣＡマークの幅より大きな値であるために、小型光ディスクに必要な新たなフォーマットのレイアウトが要求される。
【発明の開示】
【発明が解決しようとする課題】
【０００７】
本発明が解決しようとする技術的課題は、前記問題点を改善するためのものであって、ＢＣＡマークが形成される小型情報貯蔵媒体を具現すべく新たなフォーマットのレイアウトを有する情報貯蔵媒体を提供するものである。
【課題を解決するための手段】
【０００８】
前記技術的課題を達成するために本発明は、固有情報を示すＢＣＡマークがエッジ部に近接して形成されたことを特徴とする光ディスクを提供する。
【０００９】
前記ＢＣＡマークは最外周に形成されることが望ましい。前記ＢＣＡマークはラジアル方向にマーキングされ、円形または四角形に配列されうる。前記ＢＣＡマークはレーザービームにより所定領域が焼成されて除去されることによって形成されるか、あるいは相変化物質の相変移を通じた結晶質マークまたは非晶質のマークとして形成されうる。
【００１０】
前記ＢＣＡマークを有する外周から内周方向に順次にＢＣＡ領域、リードイン領域、データ領域及び、リードアウト領域が順次に配されうる。
【００１１】
前記ＢＣＡマークはランドまたはグルーブに形成され、一層以上の領域に形成される。
【００１２】
前記固有情報は一連番号及び製造年月日を含む。
【発明の効果】
【００１３】
本発明の情報貯蔵媒体は、ＢＣＡマークを最外周に形成し、外周から内周に順次にリードイン領域、データ領域、及びリードアウト領域に配されたレイアウトを有することによって小型情報貯蔵媒体の具現が容易である。
【発明を実施するための最良の形態】
【００１４】
以下、添付した図面を参照して本発明の望ましい実施例を詳細に説明する。
【００１５】
図３を参照すれば、本発明の実施例に係る情報貯蔵媒体３２は図１に示された光ディスク１２に比べて半径の小さい小型情報貯蔵媒体として提示される。ＢＣＡマーク３０は情報貯蔵媒体３２の最外周に形成される。ＢＣＡマーク３０はレーザーのような光源を用いて情報貯蔵媒体３２の反射膜を焼成して除去する方法または相変化物質の相変移を利用して結晶質または非晶質のマークを形成する方法等で記録されうる。ＢＣＡマーク３０は円形または四角形に配される。また、ＢＣＡマーク３０はランドまたはグルーブのうち何れか一方にのみ記録されることが望ましい。例えば、５０ｍｍ程度の直径を有し、トラックピッチが０．３２μｍである場合、小型情報貯蔵媒体においてマーク長は最小０．１３３μｍになりうる。
【００１６】
図４を参照すれば、第１及び第２基板３１ａ、３１ｂに第１及び第２記録膜３３ａ、３３ｂが形成されており、記録膜３３ａ、３３ｂ上には順次に第１及び第２反射膜３５ａ、３５ｂと第１及び第２保護層３７ａ、３７ｂが配列されており、接着層３９により接合された対称構造で形成されている。
【００１７】
ここで、図３のＢＣＡマーク３０は、一例として結晶質と非晶質間の反射率の差により信号を検出する相変化の原理を用いて形成でき、これは図４の記録膜３３ａ、３３ｂ上に結晶質化された結晶質のマーク３０ａ、３０ｂ部分として現れる。結晶質のマーク３０ａ、３０ｂは非晶質マークより反射率が高く、その反射率は２０％以上になる。反射率の差を検出することによってＢＣＡマークが示すＢＣＡコードを再生できる。
【００１８】
相変化の原理を用いてＢＣＡマーク３０を形成する場合、具現可能な情報貯蔵媒体は相変化原理による記録可能な情報貯蔵媒体だけが可能である。
【００１９】
図４に示された記録膜の結晶質のバーコード形態のＢＣＡマーク３０ａ、３０ｂはクランピング領域とリードイン領域（またはＤＶＤ−Ｒ／ＲＷ、またはＣＤ−Ｒ／ＲＷではＰＣＡ領域）間に同心円状に配列されるラジアル方向の複数のバーよりなる。ＢＣＡコードは単層／多層、または単面／両面に関係なくＢＣＡ領域の成膜後の非晶質状態の記録膜を結晶質化させて結晶質のマークを形成させることによって記録される。本発明に係る相変化によるＢＣＡマーク記録方法は、従来の初期化装置をそのまま用いて初期化と同時にＢＣＡマークを生成できて、別途の装備が不要で、別途の時間がかからない長所を有している。
【００２０】
情報貯蔵媒体３２は小型情報貯蔵媒体を具現できるようにＢＣＡマーク３０が最外周に形成されるので、図５に示されたような新たなフォーマットのレイアウトが要求される。
【００２１】
図５を参照すれば、情報貯蔵媒体３２は外周から内周に順次にＢＣＡ領域、リードイン領域、データ領域、リードアウト領域及び、クランピング領域が配される。クランピング領域にはその他の情報貯蔵媒体３２の種類によって多様な領域が形成されうる。このようなレイアウトは、図２に示されたレイアウトとは異なって、内周から外周方向に各領域が逆に配される形態となる。
【００２２】
本発明の実施例に係る情報貯蔵媒体３２のレイアウトはＢＣＡマーク３０が情報貯蔵媒体３２の固有情報を示すので、情報貯蔵媒体３２に情報を記録／再生しようとする場合、ＢＣＡマーク３０の記録／再生が先行され、順次にリードイン領域、データ領域、及びリードアウト領域に情報を記録／再生することによって提示されるフォーマットであり、このようなレイアウトで既存の情報貯蔵媒体のレイアウトと一貫性が維持されうる。
【００２３】
図６は、本発明の実施例に係る情報貯蔵媒体において、（ａ）記録されるデータビット、（ｂ）記録信号、（ｃ）再生信号、及び（ｄ）再生されるデータビットを簡略に示す図である。
【００２４】
図６の（ａ）に示されたように各周期によってバーコード形態のマークが前方に形成されていれば“０”、後方に形成されていれば“１”を示す。図６の（ｂ）は、前記バーコード形態のマークを記録するために与えられたレーザービームのパワーを示す。図６の（ｃ）は、高域通過フィルターでフィルタリングさせることによって、同期化されて表れた信号を示す図であり、バーコード形態のマークの反射率が周辺領域の反射率より高く現れている。図６の（ｄ）から再生されたデータも“００１００１０”であってＢＣＡコードで記録されたデータと同一に再生されることが分かる。
【００２５】
前記説明では多くの事項が具体的に記載されているが、それらは発明の範囲を限定するよりは、望ましい実施例の例示として解釈されねばならない。例えば、当業者ならば前記バーコード形態のマークではない他の形のマークを使用してＢＣＡコードを記録できるであろう。このような発明の多様性のために本発明の範囲は説明された実施例によって決まるものではなく、特許請求の範囲に記載された技術的思想により決まるべきである。
【産業上の利用可能性】
【００２６】
本発明に係る情報貯蔵媒体は、小型情報貯蔵媒体の製作が容易でかつ携帯用情報貯蔵媒体ドライブに適用しうる。
【図面の簡単な説明】
【００２７】
【図１】従来のＢＣＡマークが配された光ディスクを概略的に示す平面図である。
【図２】図１の光ディスクのレイアウトを概略的に示す図である。
【図３】本発明の実施例に係る情報貯蔵媒体を概略的に示す平面図である。
【図４】本発明の実施例に係る情報貯蔵媒体を概略的に示す断面図である。
【図５】図３の情報貯蔵媒体のレイアウトを概略的に示す図である。
【図６】本発明の実施例に係る情報貯蔵媒体において、（ａ）記録されるデータビット、（ｂ）記録信号、（ｃ）再生信号、（ｄ）再生されるデータビットを概略的に示すグラフである。
【符号の説明】
【００２８】
３２  情報貯蔵媒体
３０  ＢＣＡマーク
３０ａ、３０ｂ  結晶質のマーク
３１ａ、３１ｂ  第１及び第２基板
３３ａ、３３ｂ  第１及び第２記録膜
３５ａ、３５ｂ  第１及び第２反射膜
３７ａ、３７ｂ  第１及び第２保護層
【図１】
2004348949.tif 000003
【図２】
2004348949.tif 000004
【図３】
2004348949.tif 000005
【図４】
2004348949.tif 000006
【図５】
2004348949.tif 000007
【図６】
2004348949.tif 000008